(57)【要約】  【課題】  可変の増幅器の利得を切り替えても、高域周波数特性の変動を抑え、Ｓ／Ｎ比の劣化を抑制できるループ型増幅回路を提供する。  【解決手段】  高域周波数通過特性を有するループ型増幅回路１であって、第１増幅器２と、第２増幅器３と、第１増幅器２と第２増幅器３を電気的に結ぶ低域周波数通過手段４と、ループ型増幅回路１の有するユニティゲイン周波数を一定に保つように、第１増幅器２の利得、第２増幅器３の利得および低域周波数通過手段４の遮断周波数の内少なくとも一つを調整する調整部５を備え、第１増幅器２は、低域周波数通過手段４を介して第２増幅器３に信号を出力し、第２増幅器３は、第１増幅器２に信号を出力する。【選択図】  図１
2007300342.tif 000002
【特許請求の範囲】
【請求項１】
高域周波数通過特性を有するループ型増幅回路であって、
第１増幅器と、
第２増幅器と、
前記第１増幅器と第２増幅器を電気的に接続する低域周波数通過手段と、
前記ループ型増幅回路の有するユニティゲイン周波数を一定に保つように、前記第１増幅器の利得、前記第２増幅器の利得および前記低域周波数通過手段の遮断周波数の内少なくとも一つを調整する調整部を備え、
前記第１増幅器は、前記低域周波数通過手段を介して前記第２増幅器に信号を出力し、
前記第２増幅器は、前記第１増幅器に信号を出力するループ型増幅回路。
【請求項２】
前記調整部は、前記第１増幅器の利得と前記第２増幅器の利得を、前記第１増幅器の利得と前記第２増幅器の利得が所定条件を満たすように調整する請求項１記載のループ型増幅回路。
【請求項３】
前記所定条件は、前記第１増幅器の利得と前記第２増幅器の利得の積が一定である条件である請求項２記載のループ型増幅回路。
【請求項４】
前記調整部は、前記第１増幅器の利得と前記低域周波数通過手段の遮断周波数を、前記第１増幅器の利得と前記低域周波数通過手段の遮断周波数が所定条件を満たすように調整する請求項１記載のループ型増幅回路。
【請求項５】
前記所定条件は、前記第１増幅器の利得と、前記低周波通過手段の遮断周波数の積が一定である条件である請求項４記載のループ型増幅回路。
【請求項６】
前記第１増幅器は、電圧／電流アンプと、前記電圧／電流アンプと電気的に接続された可変型の電流／電圧アンプを備え、前記第２増幅器は、可変型の電圧／電流アンプを備える請求項１から５のいずれか記載のループ型増幅回路。
【請求項７】
前記低域周波数通過手段は、ｇｍアンプと、一端が接地され、他端が前記ｇｍアンプの出力端子に電気的に接続された可変容量素子を備える請求項１から６のいずれか記載のループ型増幅回路。
【請求項８】
前記調整部は、前記可変容量素子の容量値を調整する請求項７記載のループ型増幅回路。
【請求項９】
前記高域周波数通過特性は、互いに異なる周波数を有する第１の周波数帯域と第２の周波数帯域の内、一方の周波数帯域に含まれる信号を通過させる特性を有する請求項１から８のいずれか記載のループ型増幅回路。
【請求項１０】
前記第１の周波数帯域は、ディスク型記録媒体から読み出されるアドレス信号を含み、前記第２の周波数帯域は、前記ディスク型記録媒体から読み出されるデータ信号を含み、前記高域周波数通過特性は、前記第２の周波数帯域を通過させる特性を有する請求項９記載のループ型増幅回路。
【請求項１１】
前記ディスク型記録媒体は、ＤＶＤを含む請求項１０記載のループ型増幅回路。
【請求項１２】
請求項１から１１のいずれか記載のループ型増幅回路と、
前記ループ型増幅回路の出力信号を信号処理するデータ処理部と、
前記データ処理部を制御する制御部を備える信号処理装置。
【発明の詳細な説明】
【技術分野】
【０００１】
本発明は、特定の周波数帯域に含まれる信号のみを増幅しつつ抽出する高域周波数通過特性を有するループ型増幅回路であって、増幅ゲインの変動に対して高域周波数通過特性の変動を抑制できるループ型増幅回路に関する。
【背景技術】
【０００２】
近年、画像や音声データを記録するために、ＣＤやＤＶＤなどの高容量の記録媒体が多く用いられるようになっている。
【０００３】
このような記録媒体からの記録内容の読み出しにおいては、記録媒体に記録されているアドレスとデータのそれぞれを読み出す必要がある。記録媒体にはアドレスとデータが異なる方式で記録されており、いずれもレーザ光を照射して、このレーザ光の反射光をピックアップ装置により検出する。次いで、ピックアップ装置により検出された反射光に含まれる信号が復号されて、アドレス信号とデータ信号の値が読み出される。ここで、レーザ光の反射光に含まれる信号は微弱であることが多く、エラーの無い復号のためにはこの信号を増幅する必要がある。加えて、アドレス信号とデータ信号とは、異なる周波数帯域に含まれているので、それぞれの信号を個別に取り出しつつ増幅する必要がある。
【０００４】
例えば、ＤＶＤなどでは、アドレス信号とデータ信号では、データ信号が高周波帯域に含まれるので、データ信号を復号するには、データ信号の含まれている高域周波数の帯域のみを通過させつつ、信号を増幅することが必要である。このため、高域周波数通過特性を有する増幅回路が、このような記録媒体の読み出し／書き込み装置に用いられる。
【０００５】
逆に、アドレス信号は、データ信号よりも低周波帯域に含まれるので、低域周波数通過特性を有する増幅回路が用いられる。
【０００６】
このような特定の帯域を通過させつつ増幅させるためにループ型増幅回路が用いられる（例えば、特許文献１参照）。
【０００７】
図６は、従来の技術におけるループ型増幅回路のブロック図である。高域周波数通過特性と増幅機能の両方を実現するために、二つの増幅器がループ状に接続されたループ型増幅回路となっている。
【０００８】
ループ型増幅器は、利得が可変である第１増幅器４１と、第１増幅器４１に接続される低域通過フィルタ（以下、「ＬＰＦ」という）４４と、ＬＰＦ４４の出力を受けて、第１増幅器に接続される第２増幅器４３と、第１増幅器４１の利得を調整する利得調整手段４２を備える。
【０００９】
図６に示されるループ型増幅回路は、（数１）に示される伝達特性を有しており、特定の高域周波数帯域の信号を通過させる高域周波数通過特性を有している。
【００１０】
【数１】
2007300342.tif 000003
【００１１】
ここで、変数Ａは、第１増幅器４１の利得、変数Ｂは、第２増幅器４３の利得、遮断周波数ω１はＬＰＦ４４の遮断周波数である。また、遮断周波数ω２は、ループ型増幅回路の有する高域周波数通過特性における遮断周波数である。ここで遮断周波数ω２は、（数２）で表される。
【００１２】
【数２】
2007300342.tif 000004
【００１３】
しかしながら、従来の技術におけるループ型増幅回路では、第１増幅器４１の利得Ａを変えると（数２）から明らかな通り、遮断周波数ω２の値も連動して変化してしまう問題がある。遮断周波数ω２は、高域周波数通過特性における遮断周波数であり、ループ型増幅回路の周波数通過特性を決めるユニティゲイン周波数である。
【００１４】
遮断周波数ω２が変動すると、図７に示されるように、高域周波数通過特性として通過させたい帯域におけるゲインと、遮断したい帯域におけるゲインとの差分が小さくなってしまい、ループ型増幅回路でのＳ／Ｎ比が悪くなる問題がある。図７は、従来の技術におけるループ型増幅回路の周波数特性図である。
【００１５】
ループ型増幅回路として通過させたい帯域は、遮断周波数ω２より高い周波数帯域であり、遮断したい帯域は、遮断周波数ω２よりも低い周波数帯域である。利得Ａの変動により遮断周波数ω２が低下すると、図７より明らかなように、通過させたい帯域のゲインも低下する。一方、遮断周波数ω１は変化しないので、遮断したい帯域のゲインは一定である。結果として、遮断したい帯域のゲインと、通過させたい帯域のゲインとの差分が小さくなってしまう。ここで、遮断したい帯域に含まれる信号は、ループ型増幅回路で増幅させつつ通過させたい信号にとってノイズとなる。すなわち、ループ型増幅回路の増幅率の変更により、通過させたい信号のゲインに対するノイズのゲインの割合が増加して、Ｓ／Ｎ比が悪くなる。
【００１６】
例えば、ＤＶＤからのデータ信号の読み出しにおいて、高周波側に存在するデータ信号のみを読み出すために、このようなループ型増幅回路が用いられる。このとき、低周波側に存在するアドレス信号が遮断されるべき信号であるが、遮断周波数ω１の低下により、アドレス信号のゲインの割合が高くなり、データ信号に対してアドレス信号が入り込んでしまう。すなわち、データ信号の抽出精度が低下してしまう。
【特許文献１】特開２００３−２８３２６６号公報
【発明の開示】
【発明が解決しようとする課題】
【００１７】
そこで本発明は、可変の増幅器の利得を切り替えても、高域周波数特性の変動を抑制し、Ｓ／Ｎ比の劣化を抑制できるループ型増幅回路を提供することを目的とする。
【課題を解決するための手段】
【００１８】
第１の発明に係るループ型増幅回路は、高域周波数通過特性を有するループ型増幅回路であって、第１増幅器と、第２増幅器と、第１増幅器と第２増幅器を電気的に接続する低域周波数通過手段と、ループ型増幅回路の有するユニティゲイン周波数を一定に保つように、第１増幅器の利得、第２増幅器の利得および低域周波数通過手段の遮断周波数の内少なくとも一つを調整する調整部を備え、第１増幅器は、低域周波数通過手段を介して第２増幅器に信号を出力し、第２増幅器は、第１増幅器に信号を出力する。
【００１９】
この構成により、第１増幅器の利得を変更した場合でも、高域周波数通過特性を一定に保ち、通過させたい帯域に含まれる信号のＳ／Ｎ比の劣化を防止できる。
【００２０】
第２の発明に係るループ型増幅回路では、第１の発明に加えて、調整部は、第１増幅器の利得と第２増幅器の利得を、第１増幅器の利得と第２増幅器の利得が所定条件を満たすように調整する。
【００２１】
この構成により、第１増幅器の利得を変更した場合でも、高域周波数通過特性の有する遮断周波数を一定に保つことができるので、高域周波数通過特性を一定に保てる。
【００２２】
第３の発明に係るループ型増幅回路では、第２の発明に加えて、所定条件は、第１増幅器の利得と第２増幅器の利得の積が一定である条件である。
【００２３】
この構成により、第１増幅器の利得を変更した場合でも、高域周波数通過特性の有する遮断周波数を一定に保つことができるので、高域周波数通過特性を一定に保てる。
【００２４】
第４の発明に係るループ型増幅回路では、第１の発明に加えて、調整部は、第１増幅器の利得と低域周波数通過手段の遮断周波数を、第１増幅器の利得と低域周波数通過手段の遮断周波数が所定条件を満たすように調整する。
【００２５】
この構成により、第１増幅器の利得を変更した場合でも、高域周波数通過特性の有する遮断周波数を一定に保つことができるので、高域周波数通過特性を一定に保てる。更に、通過させたい帯域に含まれる信号のＳ／Ｎ比の劣化を防止できる。
【００２６】
第５の発明に係るループ型増幅回路では、第４の発明に加えて、所定条件は、第１増幅器の利得と、低周波通過手段の遮断周波数の積が一定である条件である。
【００２７】
この構成により、第１増幅器の利得を変更した場合でも、高域周波数通過特性の有する遮断周波数を一定に保つことができるので、高域周波数通過特性を一定に保てる。更に、通過させたい帯域に含まれる信号のＳ／Ｎ比の劣化を防止できる。
【００２８】
第６の発明に係るループ型増幅回路では、第１から第５のいずれかの発明に加えて、第１増幅器は、電圧／電流アンプと、電圧／電流アンプと電気的に接続された可変型の電流／電圧アンプを備え、第２増幅器は、可変型の電圧／電流アンプを備える。
【００２９】
この構成により、高域周波数特性を一定に保ちつつ、入力信号の差動増幅を実現する。
【００３０】
第７の発明に係るループ型増幅回路では、第１から第６のいずれかの発明に加えて、低域周波数通過手段は、ｇｍアンプと、一端が接地され、他端がｇｍアンプの出力端子に電気的に接続された可変容量素子を備える。
【００３１】
この構成により、低域周波数通過手段を、容易に実現できる。
【００３２】
第８の発明に係るループ型増幅回路では、第７の発明に加えて、調整部は、可変容量素子の容量値を調整する。
【００３３】
この構成により、高域周波数通過特性を一定に保つための処理が容易となる。
【発明の効果】
【００３４】
本発明によれば、高域周波数通過特性を有するループ型増幅回路の増幅率を変更する場合であっても、高域周波数通過特性をほぼ一定に保つことができる。
【００３５】
この高域周波数特性をほぼ一定に保つことができることにより、通過させたい帯域に含まれる信号の増幅における、Ｓ／Ｎ比の劣化を抑制できる。
【発明を実施するための最良の形態】
【００３６】
以下、図面を参照しながら、本発明の実施の形態を説明する。
【００３７】
（実施の形態１）
図１は、本発明の実施の形態１におけるループ型増幅回路のブロック図である。
【００３８】
ループ型増幅回路１は、第１増幅器２、第２増幅器３、低域周波数通過手段４、調整部５を備えており、ループ型増幅回路１は、高域周波数通過特性を有している。
【００３９】
（全体構成と各部の構成）
第１増幅器２には入力信号が入力され、第１増幅器２の出力は、最終的な出力信号となると共に、低域周波数通過手段４に入力する。低域周波数通過手段４の出力は第２増幅器３に入力し、第２増幅器３の出力は第１増幅器２に入力する。すなわちループ型増幅回路１は、第１増幅器２が、低域周波数通過手段４を介して第２増幅器３と接続された、ループ型の構成を有している。
【００４０】
このループ型増幅回路１の構成により、入力信号の高域周波数が通過されて増幅された上で、出力信号が出力される。
【００４１】
第１増幅器２は、その利得が可変であり、入力信号を第２増幅器３の出力信号を用いて、増幅させる。可変である利得は、調整部５により調整され、利得は変数Ａで表される。
【００４２】
第１増幅器は、可変ゲインアンプをはじめとしたアンプ素子により構成されればよい。
【００４３】
第２増幅器３も、第１増幅器と同じく、その利得が可変であり、低域周波数通過手段４の出力信号を、基準電圧ＶＲＥＦを用いて増幅させる。可変である利得は、調整部５により調整され、利得は変数Ｂで表される。
【００４４】
第２増幅器３も、第１増幅器２と同じく、可変ゲインアンプをはじめとしたアンプ素子により構成されればよい。
【００４５】
低域周波数通過手段４は、所定の遮断周波数以下の帯域を通過させる機能を有し、低域通過フィルタ（以下、「ＬＰＦ」という）などで構成される。低域周波数通過手段４の有する遮断周波数はω１である。低域周波数通過手段４は、第１増幅器２の出力に対して、遮断周波数ω１に基づいて、低域周波数を通過させる。
【００４６】
調整部５は、第１増幅器２の利得と、第２増幅器３の利得および低域周波数通過手段４の遮断周波数の少なくとも一つを調整する。すなわち、利得Ａ、利得Ｂおよび遮断周波数ω１の少なくとも一つを調整する。
【００４７】
ここで、調整部５は、ループ型増幅回路１のユニティゲイン周波数を一定に保つように、利得Ａ、利得Ｂおよび遮断周波数ω１の少なくとも一つを調整する。ユニティゲイン周波数は、ループ型増幅回路１の高域周波数通過特性の有する遮断周波数ω２に基づいて定まる。この遮断周波数ω２が一定に保たれると、ループ型増幅回路１の特性を示すユニティゲイン周波数も一定に保たれる。
【００４８】
（動作説明）
遮断周波数ω２と利得Ａ、利得Ｂ、遮断周波数ω１との関係は（数１）で表される。
【００４９】
ループ型増幅回路１においては、入力信号に対して増幅作用を施す必要があるので、必要に応じて、第１増幅器２の利得Ａが変更される。ここで、（数１）より明らかなように、利得Ａだけが変更されると、遮断周波数ω２の値が変動してしまい、従来の技術で説明したような問題が生じる。
【００５０】
これに対して、利得Ａと利得Ｂが所定条件を満たすように変更されれば、ω２の値に影響を与えない。
【００５１】
調整部５は、ループ型増幅回路１での増幅状態を変更するために、第１増幅器２の利得Ａを調整する場合には、第２増幅器３の利得Ｂを、利得Ａと利得Ｂが所定条件を満たすように調整する。この所定条件として、利得Ａと利得Ｂの積が一定であれば、遮断周波数ω２を一定に保つことができる。
【００５２】
これは（数１）から明らかな通り、ＡとＢの積が一定であれば、遮断周波数ω１が一定である限り、遮断周波数ω２は、一定である。しかも、第１増幅器２の利得Ａが調整されることで、ループ型増幅回路１での増幅率が変更される。
【００５３】
すなわち、利得Ａと利得Ｂがそれぞれ関連されて調整されることで、ループ型増幅回路１の増幅率を増減できると共に、ループ型増幅回路１の高域周波数通過特性が一定に保たれる。
【００５４】
図２、図３は、本発明の実施の形態１におけるループ型増幅回路の周波数特性図である。
【００５５】
特性曲線５０、６０、７０は、それぞれ利得Ａを変更して、ループ型増幅回路１の増幅率を変化させた場合における周波数特性を示している。図２より明らかな通り、特性曲線５０、６０、７０のいずれにおいても、増幅率が変化しているのにもかかわらず、遮断周波数ω２は一定に保たれている。図２においては、特性曲線５０におけるゲインがもっとも大きく、次いで、特性曲線６０、７０の順に、ゲインが低下する。それぞれのゲインは、ループ型増幅回路１全体での増幅率を示すものである。
【００５６】
遮断周波数ω２が一定に保たれることから、図２に示される特性曲線５０、６０、７０となり、遮断周波数ω１におけるゲインと遮断周波数ω２におけるゲインとは、そろって変動している。すなわち、利得Ａを変更して、特性曲線５０から特性曲線７０に変わった場合であっても、遮断周波数ω１におけるゲインと遮断周波数ω２におけるゲインは、それぞれ同じように変動する。このため、第１増幅器２の利得Ａを変えた場合でも、通過させたい周波数帯域（遮断周波数ω２より高周波帯域）に含まれる信号に対して、遮断したい周波数帯域（遮断周波数ω２より低周波帯域）に含まれるノイズの割合が増加する問題が発生しない。このため、ループ型増幅回路１の利得が変更される場合でも、Ｓ／Ｎ比の劣化が抑制される。
【００５７】
以上のように、ループ型増幅回路１に含まれる調整部５により、ユニティゲイン周波数が一定に保たれるように、第１増幅器２の利得Ａ、第２増幅器３の利得Ｂが調整されることで、ループ型増幅回路１の増幅率が変更される場合でも、高域周波数通過特性がほぼ一定に保たれ、Ｓ／Ｎ比の劣化も抑制できる。
【００５８】
（変形例）
次に、変形例を説明する。変形例では、ループ型増幅回路の増幅率を変える場合に、第１増幅器２の利得Ａと低域周波数通過手段４の遮断周波数ω１が調整される。
【００５９】
調整部５は、第１増幅器２の利得Ａと低域周波数通過手段４の遮断周波数ω１が所定条件を満たすように調整することで、ユニティゲイン周波数の基礎となる遮断周波数ω２を一定に保つ。この所定条件としては、利得Ａと遮断周波数ω１の積が一定である条件がある。
【００６０】
（数１）から明らかな通り、利得Ａと遮断周波数ω１の積が一定に保たれるように調整されることで、遮断周波数ω２を一定に保つことができる（第２増幅器３の利得Ｂについては変動が無い場合）。すなわち、ループ型増幅回路１の高域周波数通過特性が一定に保たれる。
【００６１】
この場合においても、図３に示されるように、通過させたい帯域に含まれる信号のゲインの変化と、遮断したい帯域に含まれる信号のゲインの変化が等しく生じるので、Ｓ／Ｎ比の劣化が抑制できる。
【００６２】
図３から明らかな通り、ループ型増幅回路１の増幅率を変更するために、利得Ａを変更した時には、遮断周波数ω１の値が変更される。図３に示される特性曲線５１、６１、７１を用いて説明する。
【００６３】
特性曲線５１は、増幅率が最も大きい場合の周波数特性であり、特性曲線６１は、増幅率が中程度の場合の周波数特性であり、特性曲線７１は、増幅率が小さい場合の周波数特性を示している。
【００６４】
遮断周波数ω２に着目すると、特性曲線５１でのゲインが最も大きく、以下、特性曲線６１、７１の順にゲインが小さくなる。周波数ω１においても同様に、特性曲線５１でのゲインが最も大きく、以下、特性曲線６１、７１の順にゲインが小さくなる。
【００６５】
遮断周波数ω２より高周波帯域が、ループ型増幅回路１で通過させたい帯域であり、遮断周波数ω２より低周波帯域が、ループ型増幅回路１で遮断したい帯域であるので、ループ型増幅回路１の増幅率を変更した場合であっても、通過させたい帯域に含まれる信号のゲインの変化と、遮断したい帯域に含まれる信号のゲインの変化が等しく生じるので、Ｓ／Ｎ比の劣化が抑制できる。
【００６６】
以上のように、ループ型増幅回路１の増幅率を変えるために第１増幅器２の利得Ａを変化させる場合において、利得Ａと遮断周波数ω１を所定条件を満たすように調整することで、高域周波数通過特性が一定に保たれ、Ｓ／Ｎ比の劣化が抑制できる。
【００６７】
（実施の形態２）
次に、実施の形態２について説明する。
【００６８】
実施の形態２においては、第１増幅器２と第２増幅器３が、それぞれ電圧／電流アンプ、電流／電圧アンプから構成され、低域周波数通過手段４が、ｇｍアンプと容量素子で構成される場合について説明する。
【００６９】
図４は、本発明の実施の形態２におけるループ型増幅回路のブロック図である。
【００７０】
第１増幅器２は、直列接続された電圧／電流アンプ１０と電流／電圧アンプ１１から構成されている。第２増幅器３は、電圧／電流アンプ１４から構成されている。電圧／電流アンプ１０、１４、電流／電圧アンプ１１は、いずれもその利得が可変である。
【００７１】
低域周波数通過手段４は、ｇｍアンプ１２と、一端が接地され、他端が、ｇｍアンプ１２の出力に電気的に接続された可変容量素子１３により構成されている。可変容量素子１３は、その容量値が可変である。
【００７２】
電圧／電流アンプ１０の利得はＧ１であり、電流／電圧アンプ１１の利得はＧ２であり、ｇｍアンプ１２の利得はＧ３であり、電圧／電流アンプ１４の利得はＧ４である。可変容量素子１３の容量値はＣである。Ｒｏ２はｇｍアンプ１２の出力インピーダンスである。
【００７３】
第１増幅器２には、それぞれＶＩＰとＶＩＮが入力し、電圧／電流アンプ１０と電流／電圧アンプ１１を介して、低域周波数通過手段４と、ＶＯＰとＶＯＮに出力信号を出力する。低域周波数通過手段４の出力は、電圧／電流アンプ１４に入力し、電圧／電流アンプ１４の出力のそれぞれは、電圧／電流アンプ１０の出力のそれぞれに重畳される。
【００７４】
このようなループ型増幅回路１の伝達特性は（数３）により表される。
【００７５】
【数３】
2007300342.tif 000005
【００７６】
また、低域周波数通過手段４の遮断周波数ω１は（数４）で表され、ループ型増幅回路１の高域周波数特性の有する遮断周波数ω２は（数５）で表される。
【００７７】
【数４】
2007300342.tif 000006
【００７８】
【数５】
2007300342.tif 000007
【００７９】
調整部５は、電流／電圧アンプ１１の利得Ｇ２、電圧／電流アンプ１４の利得Ｇ４、可変容量素子１３の容量値Ｃの少なくとも一つを調整し、ループ型増幅回路１の増幅率を変更しつつ、ユニティゲイン周波数を一定に保つ。
【００８０】
ここで、ループ型増幅回路１の増幅率を変えるためには、利得Ｇ２が変更されることが最も直接的である。ここで、（数５）から明らかな通り、Ｇ２の値が変更されると、遮断周波数ω２が変化してしまう。このため、調整部５は、増幅率を変化させるために利得Ｇ２と関連させて利得Ｇ４を調整する。なお、ｇｍアンプ１２の利得Ｇ３は調整が困難であり、一定である場合がほとんどなので、利得Ｇ２と利得Ｇ４の積が一定となるように調整されれば、ユニティゲイン周波数の基礎となる遮断周波数ω２は一定に保たれる。
【００８１】
ループ型増幅回路１の増幅率を変更するために利得Ｇ２を変更する場合には、調整部５は、利得Ｇ２と利得Ｇ４の積が一定になるように調整する。この結果、ループ型増幅回路１の高域周波数通過特性がほぼ一定に保たれる。更に、利得Ｇ２を変更した場合でも、図２に示されるように、通過させたい帯域に含まれる信号のゲインに対する、遮断したい帯域に含まれる信号のゲインの割合が増加することが無いので、Ｓ／Ｎ比の劣化が防止できる。
【００８２】
あるいは、利得Ｇ２を変更するに際して、合わせて可変容量素子１３の容量値Ｃを関連させて調整することでも良い。利得Ｇ２を容量値Ｃで除算した値が一定となるように、調整部５は、利得Ｇ２と容量値Ｃを調整する。（数５）から明らかな通り、利得Ｇ２を容量値Ｃで除算した値が一定となるように調整されれば、遮断周波数ω２は一定に保たれる。遮断周波数ω２が一定に保たれれば、ループ型増幅回路１の高域周波数通過特性もほぼ一定に保たれる。
【００８３】
このように、容量値Ｃを利得Ｇ２に関連させて調整することで、ループ型増幅回路１の周波数特性は図３にしめされるようになる。
【００８４】
図３に示されるように、ループ型増幅回路１の増幅率を変更するために利得Ｇ２を変更するのに合わせて、通過させたい帯域のゲインと、遮断したい帯域のゲインは、そろって変動する。このため、利得Ｇ２を変更した場合でも、通過させたい帯域に含まれる信号のゲインに対する遮断したい帯域に含まれる信号のゲインの割合が、増加することが無いので、Ｓ／Ｎ比の劣化が抑制できる。
【００８５】
（適用例）
次に、実施の形態１、実施の形態２で説明したループ型増幅回路１の適用例について説明する。
【００８６】
高域周波数通過特性を有するループ型増幅回路１は、遮断周波数ω２より高周波帯域を通過させて、遮断周波数ω２よりも低周波帯域を遮断する。
【００８７】
このため、入力信号として、異なる周波数を有する第１の周波数帯域と第２の周波数帯域のそれぞれにデータを含む信号が、ループ型増幅回路１に入力する。ここで、第１の周波数帯域が、遮断周波数ω２よりも高周波帯域であり、第２の周波数帯域が、遮断周波数ω２よりも低周波帯域であるとする。この場合には、ループ型増幅回路１は、第１の周波数帯域に含まれる信号を通過させ、第２の周波数帯域に含まれる信号を遮断する。更に、第１の周波数帯域に含まれる信号を増幅する。
【００８８】
例えば、ＣＤやＤＶＤなどのディスク型記録媒体からのデータ信号の読み出しに、このループ型増幅回路１は適用される。
【００８９】
ディスク型記録媒体からは、データ信号とアドレス信号が取り出されるが、第１の周波数帯域にはデータ信号が含まれており、第２の周波数帯域にはアドレス信号が含まれている。第１の周波数帯域は、第２の周波数帯域よりも高周波である。ループ型増幅回路１は、高周波帯域である第１の周波数帯域に含まれるデータ信号のみを増幅しつつ通過させる。
【００９０】
すなわち、ループ型増幅回路１により、ディスク型記録媒体からデータ信号だけが増幅されて読み出される。
【００９１】
なお、ここではデータ信号がアドレス信号よりも高周波帯域に含まれており、ループ型増幅回路１は、このデータ信号のみを選択して増幅するとして説明したが、逆であってもよい。すなわち、アドレス信号がデータ信号よりも高周波帯域に含まれている場合には、ループ型増幅回路１は、アドレス信号のみを選択して増幅しても良い。
【００９２】
（実施の形態３）
次に、実施の形態３について説明する。
【００９３】
ループ型増幅回路１は、ディスク型記録媒体から信号を読みだして信号処理を行う信号処理装置に適用される。図５を用いて説明する。
【００９４】
図５は、本発明の実施の形態３における信号処理装置のブロック図である。
【００９５】
信号処理装置２０は、ＣＤやＤＶＤなどのディスク型記録媒体２３から、ピックアップ２４を介して取り出された信号を処理する。信号処理装置２０は、具体的にはＤＶＤプレイヤーやＤＶＤレコーダーなどに含まれる。
【００９６】
信号処理装置２０は、実施の形態１、２で説明したループ型増幅回路１と、データ処理部２１と、制御部２２を備えている。データ処理部２１は、ループ型増幅回路１の出力信号を信号処理する。制御部２２は、ループ型増幅回路１とデータ処理部２１の動作を制御する。
【００９７】
ピックアップ２４は、ＣＤやＤＶＤなどのディスク型記録媒体２３に対してレーザ光を照射してディスク型記録媒体２３からのレーザ反射光を受け取る。ピックアップ２４は、受け取ったレーザ反射光を、ループ型増幅回路１に出力する。この反射光には、ディスク型記録媒体２３に記録されたアドレス信号とデータ信号が含まれており、ループ型増幅回路１には、この二つの信号がまとめて入力される。
【００９８】
ループ型増幅回路１は、高域周波数通過特性を利用して、このうちデータ信号のみ、もしくはアドレス信号のみのいずれかを通過させつつ、その信号を増幅する。ピックアップ２４から得られた信号のレベルが小さい場合には、ループ型増幅回路１の増幅率を増加させるが、このように増加させる場合であっても、高域周波数通過特性はほぼ一定に保たれ、Ｓ／Ｎ比の劣化も抑制される。これは実施の形態１、２で説明したとおりである。ループ型増幅回路１での信号の読み出しの精度が高い（Ｓ／Ｎ比が高い）ことで、以降のデータ処理部２１でのデータの復調における精度も向上する。
【００９９】
ループ型増幅回路１で増幅されて取り出された信号は、データ処理部２１に出力される。
【０１００】
データ処理部２１は、受け取った信号について必要な信号処理を行う。例えば、データ処理部２１は、アナログデジタル変換を行い、バイナリ形式のデータを復調する。更に、必要に応じて、データ処理部２１は、誤り検出や誤り訂正を行う。復調されたデータは、音声や画像として出力され、スピーカから音声が出力し、表示装置に画像が表示される。
【０１０１】
制御部２２は、中央演算処理装置とＲＯＭなどから構成され、ループ型増幅回路１とデータ処理部２１での動作を制御する。
【０１０２】
以上のように、実施の形態１、２で説明されたループ型増幅回路１を組み込んだ信号処理装置により、記録媒体からの信号の読み出しにおいて、Ｓ／Ｎ比の高い読み出しが可能となる。
【産業上の利用可能性】
【０１０３】
本発明は、例えば、ＣＤやＤＶＤなどのディスク型記録媒体からの信号の読み出しを必要とする分野等において好適に利用できる。
【図面の簡単な説明】
【０１０４】
【図１】本発明の実施の形態１におけるループ型増幅回路のブロック図
【図２】本発明の実施の形態１におけるループ型増幅回路の周波数特性図
【図３】本発明の実施の形態１におけるループ型増幅回路の周波数特性図
【図４】本発明の実施の形態２におけるループ型増幅回路のブロック図
【図５】本発明の実施の形態３における信号処理装置のブロック図
【図６】従来の技術におけるループ型増幅回路のブロック図
【図７】従来の技術におけるループ型増幅回路の周波数特性図
【符号の説明】
【０１０５】
１  ループ型増幅回路
２  第１増幅器
３  第２増幅器
４  低域周波数通過手段
５  調整部
【図１】
2007300342.tif 000008
【図２】
2007300342.tif 000009
【図３】
2007300342.tif 000010
【図４】
2007300342.tif 000011
【図５】
2007300342.tif 000012
【図６】
2007300342.tif 000013
【図７】
2007300342.tif 000014